(57)【要約】【課題】水用の操作スイッチと湯用の操作スイッチとを設け、それらスイッチの操作により吐水口から水又は温調水を吐水させるようになした水栓装置において、それら操作スイッチの上に物が置かれたり、タオルや布巾が被せられたりしたときに、吐水操作されたものと誤判定されて吐水口から水や温調水が出っ放しになるのを防止する。【解決手段】水用の操作スイッチ４２Ｒと、温調水を吐水させるための湯用の操作スイッチ４２Ｌと、それらの操作スイッチ４２Ｒ，４２Ｌからの信号を受けて吐水口２６から吐水させる制御部４１とを有する水栓装置１８において、操作スイッチ４２Ｒ，４２Ｌの両方から同時に信号出力されたときには制御部４１が水及び温調水の何れも吐水禁止動作するようになす。【選択図】        図２
2005002695.tif 000002
【特許請求の範囲】
【請求項１】
吐水操作スイッチを含む複数のスイッチと、該吐水操作スイッチからの信号を受けて吐水口から吐水させる制御部とを有し、少なくとも２個以上の複数のスイッチから同時に信号出力されたときに前記制御部が吐水禁止動作するようになしてあることを特徴とする水栓装置。
【請求項２】
冷水を吐水させるための水用の吐水操作スイッチと、給湯源からの湯若しくは該湯と水とを混合してなる温調水を吐水させるための湯用の吐水操作スイッチと、それらの吐水操作スイッチからの信号を受けて吐水口から吐水させる制御部とを有し、それら両方の吐水操作スイッチから同時に信号出力されたときに前記制御部が水及び湯若しくは温調水の何れも吐水禁止動作するようになしてあることを特徴とする水栓装置。
【請求項３】
冷水を吐水させるための水用の吐水操作スイッチと、給湯源からの湯若しくは該湯と水とを混合してなる温調水を吐水させるための湯用の吐水操作スイッチと、それらの吐水操作スイッチからの信号を受けて吐水口から吐水させる制御部とを有し、それら両方の吐水操作スイッチから同時に信号出力されたときに前記制御部が湯若しくは温調水を優先して吐水禁止動作するようになしてあることを特徴とする水栓装置。
【請求項４】
請求項１〜３の何れかにおいて、前記吐水操作スイッチが止水操作スイッチも兼ねており、操作ごとに吐水と止水とを行わせるものであることを特徴とする水栓装置。
【請求項５】
請求項１〜４の何れかにおいて、前記スイッチが触れるだけで操作できるタッチ式スイッチ若しくは触れずに操作可能な非接触スイッチであることを特徴とする水栓装置。
【請求項６】
請求項５において、前記スイッチが吐水管の下面以外の面又はカウンターの上面に設けてあることを特徴とする水栓装置。
【発明の詳細な説明】
【０００１】
【発明の属する技術分野】
この発明は水栓装置に関し、詳しくは複数のスイッチを備えたものに関する。
【０００２】
【従来の技術及び発明が解決しようとする課題】
従来、手等の人体を非接触で感知するセンサを吐止水操作スイッチとして吐水管の下面に備え、吐水口の下方に手を差し出すとその吐止水操作スイッチの手感知に基づくオン動作により吐水口から自動的に吐水を行い、また吐水口の下方から手を引くと吐止水操作スイッチが手を非感知となって、即ち吐止水操作スイッチがオフ動作して吐水を自動的に停止（止水）するようになした水栓装置が公共トイレ等の手洗用水栓として広く用いられている。
【０００３】
この水栓装置は主として手洗用に用いられており、そのため吐水口下方、詳しくは吐水口からの吐水を受ける受水エリアをセンサの感知エリアとして構成されている。
この水栓装置は吐水口下方に置いたコップ等に水を溜めるといった使い方も行われている。即ち吐水口の下方にコップ等の容器を置くと、センサから成る吐止水操作スイッチがこれを感知し続けることによって吐水口から水を出し続け、コップ等の容器に水を溜める。
【０００４】
この水栓装置において、吐水後に止水操作するのを忘れることがあり、そこで例えば下記特許文献１には非接触センサから成る吐止水操作スイッチが対象物を感知し続けたとしても吐水後１分とか１０分とか長い時間を経過した後、吐水を自動的に停止（止水）する点が提案されている。
【０００５】
他方下記特許文献２には、同様に非接触で人体感知するセンサから成る吐止水操作スイッチを備えた水栓装置が示され、そこにおいて止水操作忘れそのものを防止するようになした点が開示されている。
この特許文献２に開示のものは、非接触で人体感知する吐止水操作スイッチと、押操作用の吐止水操作スイッチと、カバーとを備え、そのカバーの開閉による切替スイッチの動作によりそれらスイッチの何れかを選択するように成したもので、カバーの開閉状態の目視によって何れのスイッチが選択されているかを使用者が認識できるようにしている。
【０００６】
ところでこの種水栓装置をキッチンの水栓装置に適用する場合、吐水口からの吐水の受水エリアをセンサの感知エリア、即ち吐止水操作スイッチの感知エリアとすると、水を出したくない場合にも吐水口の下方で洗い物等をすると使用者の意図とは関係なく自動的に吐水されてしまったりする。
或いは逆に吐水を行わせながら洗い物等をする場合においても、手等が感知エリアに出入りする度に吐水と止水とが行われてしまうといった不都合が生ずる。
【０００７】
そこでキッチンの水栓装置に適用する場合に、吐水操作スイッチ，止水操作スイッチ等を吐水管の下面以外の面、例えば吐水管の側面や上面或いはカウンターの上面等に、非接触或いはタッチ式のスイッチとして又は押込式等の接触式スイッチとして設けることが考えられる。
このようにすれば、スイッチ操作により止水させた後、その止水状態を維持しながら吐水口の下方で洗い物等の作業を行うことが可能となる。或いはスイッチ操作に基づいて吐水口から吐水を行わせた後、吐水を継続しながらその下方で洗い物等の作業を行うことが可能となる。その際、従来の水栓装置のように手が感知エリアに出入りすることによって、吐水と止水とが断続的に行われてしまうといった不都合を回避できる。
【０００８】
一方でこのようになした場合、使用者の意図とは無関係に吐水操作スイッチがオン操作されてしまう危険性が高くなり、使用者の意図に反して吐水が行われてしまうといったことが生じ得る。
例えば吐水操作スイッチの上に物が置かれたりしたとき吐水操作スイッチがオン操作状態となってしまうことが生じ、特にタッチ式ないし非接触式の吐水操作スイッチの場合、操作に力が要らず体が不自由な人等にも使い易いといった利点がある反面、吐水操作スイッチにタオルや布巾が掛けられると、吐水操作スイッチが誤ってオン操作状態となって吐水口から水が出っ放しになる可能性がある。
【０００９】
【特許文献１】
特開２００１−３２９５８６５号公報
【特許文献２】
特開平７−１１９１８７号公報
【００１０】
【課題を解決するための手段】
本発明の水栓装置はこのような課題を解決するために案出されたものである。
而して請求項１のものは、吐水操作スイッチを含む複数のスイッチと、該吐水操作スイッチからの信号を受けて吐水口から吐水させる制御部とを有し、少なくとも２個以上の複数のスイッチから同時に信号出力されたときに前記制御部が吐水禁止動作するようになしてあることを特徴とする。
【００１１】
請求項２のものは、冷水を吐水させるための水用の吐水操作スイッチと、給湯源からの湯若しくは該湯と水とを混合してなる温調水を吐水させるための湯用の吐水操作スイッチと、それらの吐水操作スイッチからの信号を受けて吐水口から吐水させる制御部とを有し、それら両方の吐水操作スイッチから同時に信号出力されたときに前記制御部が水及び湯若しくは温調水の何れも吐水禁止動作するようになしてあることを特徴とする。
【００１２】
請求項３のものは、冷水を吐水させるための水用の吐水操作スイッチと、給湯源からの湯若しくは該湯と水とを混合してなる温調水を吐水させるための湯用の吐水操作スイッチと、それらの吐水操作スイッチからの信号を受けて吐水口から吐水させる制御部とを有し、それら両方の吐水操作スイッチから同時に信号出力されたときに前記制御部が湯若しくは温調水を優先して吐水禁止動作するようになしてあることを特徴とする。
【００１３】
請求項４のものは、請求項１〜３の何れかにおいて、前記吐水操作スイッチが止水操作スイッチも兼ねており、操作ごとに吐水と止水とを行わせるものであることを特徴とする。
【００１４】
請求項５のものは、請求項１〜４の何れかにおいて、前記スイッチが触れるだけで操作できるタッチ式スイッチ若しくは触れずに操作可能な非接触スイッチであることを特徴とする。
【００１５】
請求項６のものは、請求項５において、前記スイッチが吐水管の下面以外の面又はカウンターの上面に設けてあることを特徴とする。
【００１６】
【作用及び発明の効果】
以上のように本発明は、吐水操作スイッチを含む複数のスイッチを備えた水栓装置において、少なくとも２個以上の複数のスイッチから同時に信号出力されたとき、吐水口からの吐水を禁止するようになしたものである。
使用者が吐水操作するとき複数のスイッチを同時に操作するといったことは通常行われず、このように複数のスイッチから同時に信号出力されたときには、スイッチの上に物が置かれるとかタオルや布巾が被せられることによる誤操作によるものと考えられる。
【００１７】
そこでこの発明ではそのように複数のスイッチから同時に信号出力されたときには吐水禁止動作するようになしたもので、このようにすれば使用者が吐水を意図していないにも拘わらず吐水口から水が出っ放しとなって水が無駄に失われるといったことを防止することができる。
【００１８】
次に請求項２は、水栓装置に水用の吐水操作スイッチと、給湯源からの湯若しくは湯と水とを混合してなる温調水を吐水するための湯用の吐水操作スイッチとを設け、そしてそれら両方のスイッチから同時に信号出力されたとき、水及び湯若しくは温調水の何れも吐水禁止動作するようになしたもので、この請求項２によれば、使用者の意図に反して吐水口から高温の湯或いは温調水が出てしまって使用者が誤ってこれに触れてしまうといったことを防止できる。
【００１９】
このような請求項２に対し、本発明では請求項３に従い、水用の吐水操作スイッチと湯用の吐水操作スイッチとの両方から同時に信号出力されたとき、湯若しくは温調水を優先して吐水禁止動作するようになしておくこともできる。
このようになしておけば、使用者の知らない間に高温の湯若しくは温調水が吐水状態となるのを防止でき、使用者が誤ってこれに触れてしまう恐れをなくすことができる。
この請求項３は、２つの吐水操作スイッチから同時に信号出力されたとき湯若しくは温調水を吐水禁止動作するものであり、冷水については吐水を許容することができる。
【００２０】
次に請求項４は、吐水操作スイッチに止水操作スイッチを兼用させ、操作ごとに吐水と止水とを行わせるようになしたもので、このようにしておけば必要なスイッチの数を少なくすることができる。
【００２１】
本発明においては上記スイッチを、触れるだけで操作できるタッチ式スイッチ若しくは触れずに操作可能な非接触スイッチとなしておくことができる（請求項５）。
【００２２】
またスイッチを吐水管の下面以外の面又はカウンターの上面に設けておくことができる（請求項６）。
【００２３】
【実施例】
次に本発明をキッチン用の水栓装置として構成した場合の実施例を図面に基づいて以下に詳しく説明する。
図１において、１０はキッチンに設置された流し台で、１２はシンク、１４はキャビネット、１６はカウンターで、このカウンター１６上に本例のシングルレバー式の水栓装置１８が設置されている。
【００２４】
この水栓装置１８は、カウンター１６から上方に起立する水栓本体２０と、水栓本体２０からシンク１２側に向けて前方に延び出した吐水管２２と、水栓本体２０の上部に設けられたシングルレバー操作部２４とを有しており、そのシングルレバー操作部２４の操作によって、吐水管２２先端部の下向きの吐水口２６から吐水と止水とが行われる。
【００２５】
詳しくは、この例ではシングルレバー操作部２４を左右に回動操作することで、水と給湯源からの湯との混合比率の調節即ち温度調節が行われ、また上下に回動操作することで吐水口２６からの吐水及び止水更に吐水の流量調節が行われる。
【００２６】
図２において、２８，３０はそれぞれ冷水（水道水），給湯源からの高温の湯を供給する給水路及び給湯路で、これら給水路２８及び給湯路３０を通じて冷水及び湯がそれぞれ水栓本体２０内部に供給される。
供給された冷水及び湯は、混合弁部３２で所定比率に混合され温度調節された上で、流出路３４を通じて一旦水栓本体２０から流出した後、吐水管２２内部を通って吐水口２６へと導かれる。
混合弁部３２は、シングルレバー操作部２４の手動操作によって作動状態を変化させ、冷水と湯との混合比率を調節するとともに併せて流出路３４の開閉即ち吐水及び止水も行う。
【００２７】
給水路２８からは分岐路３６が分岐して延び出しており、その先端が流出路３４に接続されている。
そしてこの接続部より上流側において流出路３４には開閉弁（給水弁）としての２つの電磁弁３８−１，３８−２が並列に設けられており、また分岐路３６においても開閉弁（給水弁）としての２つの電磁弁４０−１，４０−２が並列に設けられている。
そしてそれら電磁弁３８−１，３８−２及び４０−１，４０−２が制御部４１によって作動制御されるようになっている。
【００２８】
図３に示しているように、吐水管２２先端部且つ右側面と左側面とにはそれぞれ非接触で手等の人体を感知する、詳しくは吐水管２２の側方を感知エリアとしてそこに差し出された手等を感知する赤外線式のセンサから成る水用の吐止水操作スイッチ（以下単に操作スイッチとする）４２Ｒ及び温調水を吐止水させるための湯用の吐止水操作スイッチ（以下単に操作スイッチとする）４２Ｌが設けられている。
【００２９】
これら操作スイッチ４２Ｒ，４２Ｌは、それぞれ上記の制御部４１に電気接続されており、それらが手等を感知したとき制御部４１に対し信号入力されるようになっている。
制御部４１はこの信号を受けて電磁弁３８−１，３８−２及び４０−１，４０−２を作動制御する。
【００３０】
本例では、図４（Ｉ）に示すように吐水管２２の右側面の水用の操作スイッチ４２Ｒの側方に手をかざし、センサから成る操作スイッチ４２Ｒによりこれを感知させることで操作スイッチ４２Ｒをオン操作する。
すると操作スイッチ４２Ｒからの信号に基づいて制御部４１が分岐路３６上の電磁弁４０−１，４０−２を開弁させて、図５にも示しているように冷水を流出路３４を通じて吐水口２６から吐水させる（図４（ＩＩ）参照）。
【００３１】
その際、本例では手をかざしている時間、即ち操作スイッチ４２Ｒをオン操作している時間に応じて制御部４１が電磁弁４０−１及び４０−２の何れか一方或いは両方を開弁させ、小流量で或いは大流量で吐水口２６から吐水させる。
詳しくは、手かざしによるオン操作時間が短いときには制御部４１が電磁弁４０−１，４０−２の一方のみを開弁させて吐水口２６から小流量で冷水を吐水（小吐水）させ、また手かざしによるオン操作時間がこれより長いときには制御部４１が２つの電磁弁４０−１，４０−２の両方を開弁させて吐水口２６から大流量で冷水を吐水（大吐水）させる。
【００３２】
そして吐水継続中に再び図４（ＩＩＩ）に示しているように操作スイッチ４２Ｒの側方に手をかざすと、操作スイッチ４２Ｒがこれを感知することで制御部４１が開弁中の電磁弁４０−１，４０−２の一方又は両方を閉弁させ、図５にも示しているように吐水口２６からの冷水の吐水を停止即ち止水させる（図４（ＩＶ）参照）。
【００３３】
即ち操作スイッチ４２Ｒは、その側方に手をかざすごとにオン動作とオフ動作とを交互に繰り返し、吐水口２６からの吐水と止水とを交互に行わせる交互スイッチとして構成されている。
この点は以下に述べる湯用の操作スイッチ４２Ｌも同様である。
【００３４】
一方、予めシングルレバー操作部２４を開操作且つ温度調節操作した状態で、吐水管２２の左側面の湯用の操作スイッチ４２Ｌの側方に手をかざしてこれを操作スイッチ４２Ｌに感知させ、以って操作スイッチ４２Ｌをオン操作すると、これに基づいて制御部４１が流出路３４上の電磁弁３８−１，３８−２を開弁させる。
これにより予め温度調節された温調水が吐水口２６から吐水される。
【００３５】
その際、冷水吐水の場合と同様に操作スイッチ４２Ｌの側方に手をかざしている時間、即ち操作スイッチ４２Ｌをオン操作している時間の長短に応じて、吐水口２６から小流量で或いは大流量で吐水が行われる。
詳しくは、手かざしによるオン操作時間が短いときには制御部４１が電磁弁３８−１，３８−２の一方のみを開弁させて、吐水口２６から小流量で温調水を吐水（小吐水）させる。
また手かざしによるオン操作時間がこれより長いときには制御部４１が２つの電磁弁３８−１，３８−２の両方を開弁させて、吐水口２６から大流量で温調水を吐水（大吐水）させる。
【００３６】
そしてその吐水継続中において再び操作スイッチ４２Ｌの側方に手をかざしこれをオフ操作すると、その操作スイッチ４２Ｌの感知に基づいて制御部４１が開弁中の電磁弁３８−１，３８−２の一方又は両方を閉弁させて、図５にも示しているように吐水口２６からの温調水の吐水を停止（止水）させる。
【００３７】
上記のように本例では、水用及び湯用の何れの操作スイッチ４２Ｒ，４２Ｌも、操作ごとに吐水と止水とを交互に行わせる交互スイッチとして構成されており、且つオン操作及びオフ操作後においてそれらの感知エリアから手を外しても即ち操作状態を解除しても、吐水或いは止水状態がその後も継続される。
【００３８】
尚図５において、ＳＣ−１，ＳＣ−２は水用の操作スイッチ４２Ｒから出力される信号を表しており、またＳＨ−１，ＳＨ−２は湯用の操作スイッチ４２Ｌから出力される信号を表している。
【００３９】
本例ではまた各操作スイッチ４２Ｒ，４２Ｌが同時に操作されたとき、詳しくは各操作スイッチ４２Ｒ，４２Ｌから同時に信号出力したとき、吐水口２６からの吐水を禁止するように制御部４１が制御動作する。
図６のタイムチャートはこれを表したものである。
即ち本例では、止水中に水用の操作スイッチ４２Ｒと湯用の操作スイッチ４２Ｌの両方とから同時に信号ＳＣ−５，ＳＨ−４が出力されたときには吐水禁止が行われて、吐水口２６からは冷水もまた温調水も吐水されない。
【００４０】
また湯用の操作スイッチ４２Ｌから信号ＳＨ−７が出力されている状態で、水用の操作スイッチ４２Ｒから信号ＳＣ−７が出力されたとき、即ち湯用の操作スイッチ４２Ｌからの信号ＳＨ−７と水用の操作スイッチ４２Ｒからの信号ＳＣ−７とが同時出力された段階で吐水禁止状態となって、一旦吐水された温調水が直ちに吐水停止される。
即ち温調水が一旦瞬間的に吐水されるもののその後直ちに止水される。これは実質的には止水状態からの吐水禁止として考えることもできる。
【００４１】
一方信号ＳＣ−８，ＳＨ−８に見られるように信号の立ち上がりが上記とは逆転した場合、即ち先ず水用の操作スイッチ４２Ｒから信号ＳＣ−８が出力され、その後若干遅れて湯用の操作スイッチ４２Ｌから信号ＳＨ−８が出力されたとき、上記と同様にして吐水口２６からの吐水が禁止される。
即ち信号ＳＣ−８の出力によって一旦は冷水が吐水口２６から吐水されるがこの吐水は瞬間的なものであり、その後湯用の操作スイッチ４２Ｌからの信号ＳＨ−８が出力されて信号ＳＣ−８及びＳＨ−８が同時出力となったとき、その段階で吐水禁止状態となって吐水口２６からの冷水の吐水が禁止される。
【００４２】
次に、湯用の操作スイッチ４２Ｌからの信号ＳＨ−５は吐水口２６から温調水を吐水させるための信号であり、この温調水の吐水は信号ＳＨ−５が出力されなくなってもその後継続して吐水口２６から吐水される。
この信号ＳＨ−５に続く信号ＳＨ−６は温調水を止水するための信号となり、この信号ＳＨ−６の出力と同時に温調水は止水される。
【００４３】
このとき本例では水用の操作スイッチ４２Ｒからの信号ＳＣ−６が同時に立ち上がっているが、この信号ＳＣ−６は吐水口２６からの冷水の吐水のための信号とはなり得ず、温調水の止水後において吐水口２６から冷水が吐水されるといったことは無い。
即ち本例において信号ＳＨ−６及びＳＣ−６はそれぞれ同時に出力されていることから、本例では冷水及び温調水の何れもが吐水禁止状態となって、吐水口２６からはその何れもが吐水されないのである。
【００４４】
水用の操作スイッチ４２Ｒからの信号ＳＣ−３についても同様で、この信号ＳＣ−３は吐水口２６から冷水を吐水させるための信号となり、この信号ＳＣ−３に続く信号ＳＣ−４は冷水を止水するための信号となる。そしてこの信号ＳＣ−４の出力と同時に冷水は止水される。
【００４５】
このとき湯用の操作スイッチ４２Ｌからの信号ＳＨ−３が同時に立ち上がっているが、上記と同様にこの信号ＳＨ−３は吐水口２６からの温調水の吐水のための信号とはなり得ず、冷水の止水後において吐水口２６から温調水が吐水されるといったことは無い。
即ち信号ＳＣ−４及びＳＨ−３はそれぞれ同時に出力されていることから、上記と同様に冷水及び温調水の何れもが吐水禁止状態となり、吐水口２６からはその何れもが吐水されないのである。
【００４６】
以上のような本例の水栓装置１８は、操作スイッチ４２Ｒ，４２Ｌから同時に信号出力されたとき、吐水口２６からの吐水を禁止するようになしたものである。
このようにすれば、例えば吐水管２２にタオル等が被せられることによって操作スイッチ４２Ｒ，４２Ｌが誤ってオン操作状態となり、それらからの信号によって、使用者が意図していないにも拘わらず吐水口２６から冷水や温調水が出っ放しとなって水が無駄に失われるといったことや、使用者の意図に反して吐水口から高温の湯或いは温調水が出てしまって使用者が誤ってこれに触れてしまうといったことを防止できる。
【００４７】
また本例においては操作スイッチ４２Ｒ，４２Ｌに吐水用と止水用とを兼用させているので必要なスイッチの数を少なくすることができる。
【００４８】
図７は本発明の他の実施例として、操作スイッチ４２Ｒ，４２Ｌから同時に信号出力したとき、温調水を優先して吐水禁止動作する例を示したものである。
即ち本例では、図７に示しているように水用の操作スイッチ４２Ｒからの信号ＳＣ−１と湯用の操作スイッチ４２ＬからのＳＨ−１とが同時に出力されたとき、温調水の吐水を優先して禁止する。
【００４９】
ここでは冷水の吐水については禁止されておらず、従って信号のＳＣ−１とＳＨ−１とが同時出力したとき冷水が吐水される。
そして再び操作スイッチ４２Ｒが操作され、信号のＳＣ−２が出力された時点で冷水の吐水が停止（止水）する。
【００５０】
次に湯用の操作スイッチ４２Ｌの操作により信号ＳＨ−２が出力されるとここにおいて温調水の吐水が行われる。
その温調水の吐水状態において、操作スイッチ４２Ｒからの信号ＳＣ−３と操作スイッチ４２Ｌからの信号ＳＨ−３とが同時出力すると、温調水の吐水が優先して禁止される。
詳しくは吐水中の温調水が止水されるとともに、この時点で冷水の吐水が行われる。
【００５１】
その後湯用の操作スイッチ４２Ｌが操作されて信号ＳＨ−４が出力されると、この時点で冷水が止水する。即ちこの例では、吐水中において操作スイッチ４２Ｒ，４２Ｌの何れが操作された場合にも止水が行われる。
【００５２】
次に、先ず操作スイッチ４２Ｌからの信号ＳＨ−５が出力された後、その信号出力中に操作スイッチ４２Ｒからの信号ＳＣ−４が出力されたときには、一旦瞬間的に吐水された温調水が直ちに止水され、これと同時にこの例では冷水が吐水される。
そしてその後操作スイッチ４２Ｒからの信号ＳＣ−５の出力によって冷水は止水される。
【００５３】
これとは逆に、先ず操作スイッチ４２Ｒからの信号ＳＣ−６が出力され、その信号出力状態の下で操作スイッチ４２Ｌからの信号ＳＨ−６が同時出力状態となると、この例では冷水の吐水は停止せずそのまま吐水状態が継続される。
そして再び操作スイッチ４２Ｒからの信号ＳＣ−７が出力された時点で冷水が止水される。
【００５４】
図８は本発明の更に他の実施例を示している。
この例はカウンター１６の上面に操作スイッチ４２Ｒ，４２Ｌを設けた例である。
この操作スイッチ４２Ｒ，４２Ｌは、それぞれ上記のような非接触式のスイッチとして構成しておくこともできるが、特にこのようにカウンター１６上面に操作スイッチ４２Ｒ，４２Ｌを設ける場合には、これを静電容量式或いは電波式のスイッチとして構成し、触れるだけで操作可能なタッチ式のスイッチ或いは指の接近によって操作可能な非接触式のスイッチとして構成しておくこともできる。
或いはまた押込式のスイッチとなすことも可能である。
【００５５】
尚、図８の例では上例とは異なった形態の水栓装置５６における吐水管２２がカウンター１６から起立しているが、勿論この水栓装置５６を様々な形態の水栓装置として構成することが可能である。
【００５６】
以上本発明の実施例を詳述したがこれはあくまで一例示である。
例えば本発明においては湯用の操作スイッチを２種類設けておいて、一方を給湯源からの湯を直接吐止水させる高温の湯用のスイッチとして、また他方を温調水を吐止水させるためのスイッチとなすことも可能である。
【００５７】
更に本発明においては、複数のスイッチの何れかを安全スイッチとして構成し、吐水操作スイッチと安全スイッチとの両方から信号出力されたときには、吐水禁止状態とするいったことも可能であるし、また操作スイッチを吐水管の先端面その他の箇所に設けたりすることも可能であり、更には上例以外の他の様々な形態の水栓装置に本発明を適用することも可能であるなど、本発明はその趣旨を逸脱しない範囲において種々変更を加えた形態で構成可能である。
【図面の簡単な説明】
【図１】本発明の一実施例の水栓装置を流し台に設置した状態で示す図である。
【図２】同実施例の水栓装置の構成要素を模式的に表した図である。
【図３】同実施例の水栓装置の吐止水操作スイッチとその感知エリアを周辺部とともに示す図である。
【図４】同実施例の水栓装置の作用説明図である。
【図５】同実施例の吐止水操作スイッチの操作状態と吐水状態との関係を示すタイムチャートである。
【図６】図５に続くタイムチャートである。
【図７】本発明の他の実施例におけるタイムチャートである。
【図８】本発明の他の実施例を示す図である。
【符号の説明】
１６  カウンター
１８，５６  水栓装置
２２  吐水管
２６  吐水口
４１  制御部
４２Ｒ  水用の吐止水操作スイッチ
４２Ｌ  湯用の吐止水操作スイッチ
【図１】
2005002695.tif 000003
【図２】
2005002695.tif 000004
【図３】
2005002695.tif 000005
【図４】
2005002695.tif 000006
【図５】
2005002695.tif 000007
【図６】
2005002695.tif 000008
【図７】
2005002695.tif 000009
【図８】
2005002695.tif 000010